Podtech/llm-jp-corpus-v4-ja_patent huggingface dataset:
(57)【要約】【課題】使う勝手がよく、携帯性を向上する。【解決手段】マイクをコードリールに固定されてる部分のコード（２）とを接続しコードリールとマイクを一体化させ、プラグコードを巻くリールの部分（８）とイヤホンコードを巻くリールの部分（３）の直径が違うことにする。【選択図】  図１
0003124168.tif 000002
【実用新案登録請求の範囲】
【請求項１】
コード巻取り装置のリールはプラグコードを巻くリールの部分とイヤホンコードを巻くリールの部分より構成され,プラグコードを巻くリールの部分とイヤホンコードを巻くリールの部分の直径が違うことを特徴とするコード巻取り装置。
【請求項２】
マイクをコードリールに固定されている部分のコードとを接続しコードリールとマイクを一体化させ、コードリールは回ると同時にマイクが同期に回転することを特徴とするマイク付イヤホンコード巻取り装置。
【考案の詳細な説明】
【技術分野】
【０００１】
コードを収納する巻き取り装置に関する技術分野に属する。
【背景技術】
【０００２】
従来イヤホン巻取り装置はイヤホンコードの長さとプラグコードの長さは同じで、ぶら下げてコードリールの重さがイヤホンを装着した耳に負担をかけ、装着心地よさがよくないし、イヤホンが耳から落ちる可能性もある。また従来イヤホンコートとプラグコートの長さを調整するため、スルホール基板などを用いてイヤホンコードを巻くリールとプラグコードを巻くリールは独立して巻き取り構造があって、経済性の面において難点があった、接触子が電極パターンと摺動して電気的接続を行って接触不良の問題が生じる可能性もある。その上軽量化、小型化、安価化を図ることが難しい。マイクは巻き取りで収納不可能で、マイクと巻き取り装置は別々であって、収納性が低下。
【考案の開示】
【考案が解決しようとする課題】
【０００３】
イヤホンコードの引き出し量はプラグコードの引き出し量より小さくすることにより、マイクと一体化したコードリールをクリップで前襟元周囲に付き、イヤホンコード（６）側の弛みが無くした。従来マイクは巻き取りで収納不可能で、マイクと巻き取り装置は別々であって、マイクと巻き取りを装置一体化により収納性を向上する.
【課題を解決するための手段】
【０００４】
コードリール（１）に固定されてるコードの部分（２）とマイク（５）からの引き出し線（４）を接続し、コードリール（１）とマイク（５）を一体化させ、プラグコード（７）とイヤホンコード（６）を同時に引くと、マイク（５）と一体化したコードリール（１）が回転する。イヤホンコード（６）の引き出す量を小さくするためにイヤホンコード（６）を巻くリールの部分（３）の直径はプラグコード（７）を巻くリールの部分（８）の直径より、小さくにする。よって同時に引き出すプラグコード（７）側のコードよりイヤホンコード（６）側のコードのほうが短くすることができ、マイク（５）と一体化したコードリール（１）をクリップ（１１）で前襟元周囲に付き、イヤホンコード（６）側の弛みが無くマイク（５）が口に近くすることができ、なお軽量化、安価化をはかった。
【考案の効果】
【０００５】
使い勝手がよく収納性を向上する。
【考案を実施するための最良の形態】
【０００６】
本発明に関るコード巻取り装置、携帯電話、無線通話機器などハンズフリーイヤホンマイク巻き取って収納する装置及びマイク無しのイヤホンコート巻取り装置である。
【図面の簡単な説明】
【０００７】
【図１】側面図  （マイク付き）
【図２】正面図  （マイク付き）
【図３】側面図（マイク無し）
【図４】正面図（マイク無し）
【符号の説明】
【０００８】
１  コードリール
２  コードリールに固定されてるコードの部分
３  イヤホンコードを巻くコードリールの部分
４  マイクからの引き出す線
５  マイク
６  イヤホンコード
７  プラグコード
８  プラグコードを巻くコードリールの部分
９  コードリールのケース
１０  ばね  
１１  クリップ  
【図１】
0003124168.tif 000003
【図２】
0003124168.tif 000004
【図３】
0003124168.tif 000005
【図４】
0003124168.tif 000006
(57)【要約】【課題】メッセージを伝える文章、絵、写真、音楽、動画等を記録する一つあるいは複数の媒体と、宝飾品、時計、玩具、造花、化粧品、お菓子、洗面器具等といったメッセージを補完するあるいはメッセージの対象となる一つあるいは複数の物品を効果的に組み合わせ、伝えたいメッセージおよび贈りたい物品を強く印象付けることが可能なマルチパッケージを提供する。【解決手段】マルチパッケージでは、メッセージの一つあるいは複数の媒体と一つあるいは複数の物品を一つの収納容器に効果的に収納することを可能とし、伝えたいメッセージおよび贈りたい物品を強く印象付けることを可能にする。【選択図】図１
0003124148.tif 000002
【実用新案登録請求の範囲】
【請求項１】
メッセージを伝える文章、絵、写真、音楽、動画等を記録する一つあるいは複数の媒体と、宝飾品、時計、玩具、造花、化粧品、お菓子、洗面器具等といったメッセージを補完するあるいはメッセージの対象となる一つあるいは複数の物品を効果的に組み合わせ、一つの収納容器に収納したことを特徴とするマルチパッケージ。
【考案の詳細な説明】
【技術分野】
【０００１】本考案は、メッセージを伝える文章、絵、写真、音楽、動画等を記録する一つあるいは複数の媒体と、宝飾品、時計、玩具、造花、化粧品、お菓子、洗面器具等といったメッセージを補完するあるいはメッセージの対象となる一つあるいは複数の物品を効果的に組み合わせたところに主要な特徴のあるマルチパッケージに関するものである。
【背景技術】
【０００２】従来のパッケージは、物品そのものだけを収納するものが一般的であり、必要に応じて装飾を施したパッケージが使用されている。このため、贈答品においては贈り主からのメッセージである文章、絵、写真、音楽、動画等を記録する媒体のパッケージは、物品のパッケージとは別にそれぞれ準備されることとなり、このためメッセージと物品の一体感に欠け、印象が薄くなる、メッセージおよび物品のパッケージの利用法がなく無駄になる、あるいはそれぞれのパッケージが散逸することにより関連が不明確になる等の問題点があった。【０００３】そこで、下記特許文献１には、宝飾品のパッケージとして宝飾品の収納容器の表面と同一形状の冊子を組み合わせた宝飾品パッケージが提案されている。
【特許文献１】登録実用新案第３１１８２３４号公報
【考案の開示】
【考案が解決しようとする課題】
【０００４】上記の従来のパッケージにおいては、伝えたいメッセージとメッセージを補完する物品、あるいは贈りたい物品と物品を補完するメッセージを印象付ける工夫が無いため、贈り主の意図が十分に伝わらず印象が薄いという問題点があった。また、提案されている上記特許文献１による宝飾品パッケージでは、宝飾品の収納容器の表面と同一形状の冊子との組み合わせは可能であるが、宝飾品を対象としない収納容器、収納容器の表面と同一形状ではない冊子、冊子以外の音楽あるいは動画等を記録する媒体との組み合わせはできないという問題点があった。
本考案は、従来の問題点を解決し、メッセージを伝える文章、絵、写真、音楽、動画等を記録する一つあるいは複数の媒体と、宝飾品、時計、玩具、造花、化粧品、お菓子、洗面器具等といったメッセージを補完するあるいはメッセージの対象となる一つあるいは複数の物品を効果的に組み合わせ、伝えたいメッセージあるいは贈りたい物品を相互に効果的に印象付けることが可能なマルチパッケージを提供する。
【課題を解決するための手段】
【０００５】上記の課題を解決するために、本考案では、メッセージの一つあるいは複数の媒体と一つあるいは複数の物品を一つの収納容器に効果的に収納することを可能とする。
【考案の効果】
【０００６】本考案により、伝えたいメッセージを、文章、絵、写真、音楽、動画等といった記録媒体に加えてメッセージを形に表した宝飾品、時計、玩具、造花、化粧品、お菓子、洗面器具等の物品と組み合わせて一体的なパッケージで贈ることが可能となり、贈答品、記念品では印象が非常に強く、また、媒体に詳細な使用方法、使用上の注意等を記録することによって物品の使用上の利便性が向上し、使用時における媒体と物品の散逸が効果的に防げるという利点がある。
【実施例】
【０００７】本考案のマルチパッケージを、図面に示す具体的な実施例にもとづいて説明する。【０００８】図１に示す本考案によるマルチパッケージは、部材（１）にメッセージである文章、絵、写真等の記録媒体を、部材（２）にメッセージである音楽あるいは肉声の記録媒体あるいは動画を含む記録媒体を、部材（３）に宝飾品、時計、玩具、造花、化粧品、お菓子、洗面器具等といったメッセージを補完するあるいはメッセージの対象となる一つあるいは複数の物品を収納し、部材（４）にメッセージである文章、絵、写真を収納すると同時に、部材（４）が部材（１）、部材（２）および部材（３）を結合し、一つの収納容器を構成する構造となっている。
【図面の簡単な説明】
【０００９】
【図１】図１は、本考案によるマルチパッケージの開いた状態での斜視図である。部材（１）、部材（２）および部材（４）は文章、絵、写真、音楽、動画等を記録する一つあるいは複数の媒体を収納し、部材（３）は宝飾品、時計、玩具、造花、化粧品、お菓子、洗面器具等といったメッセージを補完するあるいはメッセージの対象となる一つあるいは複数の物品を収納する。部材（４）によって部材（１）、部材（２）および部材（３）を結合し全体として一つの収納容器に形成する。
【図２】図２は本考案によるマルチパッケージの図１の状態から、部材（１）を閉じた状態の斜視図である。
【図３】図３は本考案によるマルチパッケージの図２の状態から部材（２）を閉じて、部材（１）、部材（２）および部材（４）とともに閉じようとしている状態の斜視図である。
【図４】図４は本考案によるマルチパッケージの閉じた状態の斜視図である。
【符号の説明】
【００１０】１  文章、絵、写真、音楽、動画等を記録する媒体を収納する部材
２  文章、絵、写真、音楽、動画等を記録する媒体を収納する部材
３  宝飾品、時計、玩具、造花、化粧品、お菓子、洗面器具等の物品を収納する部材
４  文章、絵、写真、音楽、動画等を記録する媒体を収納し、部材（１）、部材（２）および部材（３）を結合する部材
【図１】
0003124148.tif 000003
【図２】
0003124148.tif 000004
【図３】
0003124148.tif 000005
【図４】
0003124148.tif 000006
(57)【要約】【課題】石鹸が箱から熱伝導により熱を受けることがなく、また、内部の排水及び換気が良好である石鹸箱を提供する。【解決手段】身と蓋とからなるプラスチック製の石鹸箱において、身の底を中央部に順次高くなるように広く隆起部を設けるとともに、周囲に側壁に沿って環状低所を形成し、隆起部に先が細い円錐形の起立突起を散在して突設するとともに、その先端が隆起部の中央部に順次低くなるように仮想の湾曲面に沿うように起立突起の高さを形成し、少なくとも環状低所に複数の水抜孔を形成した。【効果】石鹸が浴室の温度の影響を受けることが少なく、また、水浸しにならなく、水に濡れても乾きやすいので、温度と水との相乗によりべたつくように芯まで柔らかくなるということがなく、石鹸を快適且つ経済的に使用でき、適度な固さに保って汚れも落としやすい。【選択図】    図１
0003124177.tif 000002
【実用新案登録請求の範囲】
【請求項１】
身と蓋とからなるプラスチック製の石鹸箱において、身の底を中央部に順次高くなるように広く隆起部を設けるとともに、周囲に側壁に沿って環状低所を形成し、隆起部に先が細い円錐形の起立突起を散在して突設するとともに、その先端が隆起部の中央部に順次低くなるように仮想の湾曲面に沿うように起立突起の高さを形成し、少なくとも環状低所に複数の水抜孔を形成したことを特徴とする石鹸箱。
【考案の詳細な説明】
【技術分野】
【０００１】
この考案は、浴室や銭湯等で石鹸を使用するためにそれを入れておく石鹸箱に関するものである。
【背景技術】
【０００２】
石鹸箱は、一般的に身と蓋とからなるプラスチック製で、身の底には少し高い石鹸受けが設けられ、受けから外れた低い箇所に水抜孔が設けられ、下面の四隅には脚部が突設されている。したがって、水が排出されるけれども、受け部分が低いために、浴室内にこもった熱が箱全体を保温し石鹸に伝導しやすく、しかも、底に水が残りやすく殊にシャワーの下では石鹸が水浸しになりやすかった。
【０００３】
また、石鹸を使用する際には、湯に一旦漬けてからタオルや肌にすり当てられることもあって、石鹸が水に濡れていることが多く、水に濡れたり蒸気に触れたりしたまま浴室の熱を受け、また、風通しも悪いため、石鹸が溶けるように芯まで柔らかくなる。そうなると、無駄に消耗し不経済となるばかりでなく、手や石鹸箱に不快にべとつくことにもなる。また、柔らかくなった石鹸は泡立ちが悪く汚れを落とす機能が低下しているので、これを未然に防止することが必要である。
【考案の開示】
【考案が解決しようとする課題】
【０００４】
この考案は、上記のような実情に鑑みて、石鹸が箱から熱伝導により熱を受けることがなく、また、内部の排水及び換気が良好である石鹸箱を提供することを課題とした。
【課題を解決するための手段】
【０００５】
上記の課題を解決するために、この考案は、身と蓋とからなるプラスチック製の石鹸箱において、身の底を中央部に順次高くなるように広く隆起部を設けるとともに、周囲に側壁に沿って環状低所を形成し、隆起部に先が細い円錐形の起立突起を散在して突設するとともに、その先端が隆起部の中央部に順次低くなるように仮想の湾曲面に沿うように起立突起の高さを形成し、少なくとも環状低所に複数の水抜孔を形成したことを特徴とする石鹸箱を提供するものである。
【０００６】
石鹸箱を上記のように構成したから、浴室のように温かい部屋に置かれていても、三角錐に形成された多数の起立突起の上に石鹸が置かれ、それと点接触しているので、熱伝導により石鹸に熱が加わることはほとんどない。また、身の中に水が入ったとしても、隆起部から周囲の環状低所に流れて水抜孔から排水され、また、石鹸が多数の起立突起の上に載っているため、シャワーの下の台のように水浸しのような箇所に石鹸箱が置かれていても、身の中の石鹸までも水浸しになることはない。また、水に濡れても、風通しが良いために直ぐに乾くことにもなる。
【考案の効果】
【０００７】
以上説明したように、この考案の石鹸箱によれば、石鹸が浴室の温度の影響を受けることが少なく、また、水浸しにならなく、水に濡れても乾きやすいので、温度と水との相乗によりべたつくように芯まで柔らかくなるということがなく、石鹸を快適且つ経済的に使用でき、適度な固さに保って汚れも落としやすいという優れた効果がある。
【考案を実施するための最良の形態】
【０００８】
図面は一実施形態を示し、その石鹸箱は、それぞれプラスチックで成形された身１と蓋３とからなり、そのうち、主に身１に工夫を凝らしたもので、底において、中央部へ順次高くなるように広く底上げ状に隆起させ、隆起部６の周囲に側壁５に沿って環状低所７が設けられる。
【０００９】
そして、隆起部６には、石鹸８を受ける多数の起立突起９，９・・を立設し、各起立突起９が先端に細くなる三角錐形に形成され、その高さの違いにより中央部に低くなるように、仮想の湾曲面に各起立突起９，９，・・の上端が位置するように形成され、こうして石鹸８がずれないように安定して支持されるようになっている。起立突起９，９，・・の配列については、縦列横列となっているが、石鹸８を受けやすくほゞ等間隔に散在する配列であれば、斜めの配列や渦巻き状の位置に沿った配列等であっても良い。
【００１０】
隆起部６では水が周囲の環状低所７に流れるが、環状低所７には、四隅に円い隅部水抜孔１１，１１，・・が設けられる。また、前後左右にはそれぞれ長孔の側部水抜孔１２，１２，・・が設けられる。さらに、隆起部６には長孔の高所水抜孔１３，１３，１３が設けられ、こうして排水に完璧が期される。また、図示は省略するが、デザインを兼ねて身１の側壁５や蓋３の外周に通気孔を設けることもある。なお、身１の四隅の下面には脚部１０，１０，・・が突設される。
【００１１】
起立突起９は細く長いため、浴室にこもった熱で石鹸箱が温められても、その熱が伝導により起立突起９の先端に到達することはほとんどなく、しかも、石鹸８が起立突起９に点接触で受けられるので、たとえ起立突起９の先端まで熱が達していたとしても点接触により石鹸が熱を受けにくく、また、水に漬かるように濡れるということも全くないので、石鹸８がふやけるように柔らかくなることは決してなく、常に泡立ちの良い快適な状態で石鹸８を使用することができる。
【図面の簡単な説明】
【００１２】
【図１】この考案に係る石鹸箱の身と蓋を分離して示す斜視図である。
【図２】同石鹸箱の身の平面図である。
【図３】蓋閉め状態において同石鹸箱を図２のＡ−Ａ線矢視の位置で示す断面図である。
【図４】同石鹸箱を図２のＢ−Ｂ線矢視の位置で示す断面図である。
【符号の説明】
【００１３】
１  身
３  蓋
５  側壁
６  隆起部
７  環状低所
８  石鹸
９  起立突起
１１，１２，１３  水抜孔
【図１】
0003124177.tif 000003
【図２】
0003124177.tif 000004
【図３】
0003124177.tif 000005
【図４】
0003124177.tif 000006
(57)【要約】      （修正有）【課題】作成コストを低く抑えるとともに、長期間使用できる花輪の代替物を提供する。【解決手段】花輪として飾られる花輪代替装飾物を、板体からなり、表面が全体として凸部を形成する本体と、前記の表面側に描かれる装飾模様とから構成することで、本体の表面に装飾模様を描くだけで製作ができ、材料費、作業費を大幅に節減できるとともに、本体部表面が全体に凸部を形成するので、正面からみて立体感をかもし出すことができる。【選択図】図１
0003124160.tif 000002
【実用新案登録請求の範囲】
【請求項１】
花輪として飾られる装飾物であって、
板体からなり、表面が全体として凸部を形成する本体と、
前記の表面側に描かれる装飾模様と、
を有する花輪代替装飾物。
【請求項２】
前記本体は、
正多角形の板体からなる中心板と、
等脚台形の板体からなり、平行な二辺のうちの短辺が前記中心板を構成する各辺の長さと等しい周辺板とにより形成され、
前記中心板の辺の数に等しい枚数の前記周辺板の前記各短辺が前記中心板の各辺に接触して固定されるとともに、隣接する周辺板同士の隣接する辺同士も接触して固定される
請求項１に記載の花輪代替装飾物。
【考案の詳細な説明】
【技術分野】
【０００１】
本考案は花輪として飾られる装飾物に関する。
【背景技術】
【０００２】
花輪は、塩化ビニール製やシルク製の造花を円形のフレームに固定して形成されるものであり、慶弔時に脚をつけて立てられ、飾られるものである。
【考案の開示】
【考案が解決しようとする課題】
【０００３】
ところで、従来の花輪は造花を一つ一つフレームに固定していくために、作業に手間がかかり、また、製作材料費もかかっていた。また、埃などが付着したり、容易に劣化するために、一つの花輪の寿命も短く、使用効率もよくない。また、塩化ビニールの造花を使用する場合は、産業廃棄物を大量に排出することになってしまう。一方、花輪自体は、装飾的効果を奏するものであれば、従来の形状、構造に拘泥する必要はないと考えられる。
そこで、本考案は、作成コストを低く抑えるとともに、長期間使用できる花輪の代替物を提供することを課題とする。
【課題を解決するための手段】
【０００４】
上記課題を解決するために、本考案は次のような構成を有する。
請求項１に記載の考案は、花輪として飾られる花輪代替装飾物であって、板体からなり、表面が全体として凸部を形成する本体と、前記の表面側に描かれる装飾模様とを有するものである。なお、本体は表面側が凸部を形成するので、裏面は皿状に湾曲した凹部を形成している。
請求項２に記載の考案は、前記花輪代替装飾物において、前記本体は、正多角形の板体からなる中心板と、等脚台形の板体からなり、平行な二辺のうちの短辺が前記中心板を構成する各辺の長さと等しい周辺板とにより形成され、前記中心板の辺の数に等しい枚数の前記周辺板の前記各短辺が前記中心板の各辺に接触して固定されるとともに、隣接する周辺板同士の隣接する辺同士も接触して固定されるものである。
【考案の効果】
【０００５】
請求項１に記載の考案は、本体の表面に装飾模様を描くだけで製作ができるので、材料費、作業費を大幅に節減できるとともに、本体部表面が全体に凸部を形成するので、正面からみて立体感をかもし出すことができる。
請求項２に記載の考案は、凹凸のない平板な板体からのみ本体部を形成できるので、本体部の製作効率を高めるとともに、製作コストも低減させることができる。
【考案を実施するための最良の形態】
【０００６】
以下、本考案の実施形態について、図を参照しながら説明する。
図１に本実施形態に係る花輪代替装飾物Ｘの脚Ｌを設けた状態の正面図を示し、図２に図１のＡ−Ａ断面図を示す。
花輪代替装飾物Ｘは本体１０と、本体１０の表面の装飾模様２０とから構成される。本体１０は、正八角形状の板体からなる中心板１１と、中心板の周囲に固定される等脚台形状の板体からなる８枚の相似形の周辺板１２とから構成される。図に示すように周辺板１２の平行な２辺のうちの短辺は中心板１１を構成する辺の長さと等しく、これに丁度接触して接着剤と釘により固定されている。また、隣接する周辺板１２同士の隣接する辺同士も接触して接着剤と釘により固定されている。なお、周辺板１２の等脚な二辺を延長して交わる点に形成される角度は、中心板の隣接する頂点から中心点へ伸ばした線分が成す角度（ここでは、正八角形なので４５度）よりも、小さくなるように形成されており、これにより、本体１０の表面側が全体として凸部を形成するようにすることができる。
装飾模様２０は、本体部１０の表面に、塗装やカッティングシートを貼り付けることにより形成される。
【０００７】
次に、以上のような構成を有する花輪代替装飾物Ｘの使用方法について説明する。通常は適当な位置に本体表面から裏面に小さな貫通孔を開けて、この貫通孔を介して木製の脚Ｌに針金で図１、２に示すように固定し、装飾すべき場所において、脚Ｌにより立てて飾る。また、収納時には、脚Ｌからはずして収納する。この際、複数枚の花輪代替装飾物Ｘを表面と裏面が接触するように重ねて収納することで、場所をとらずに収納することができる。また、再度使用する場合には、表面を雑巾などで拭いたり、高圧水を噴射したりすることで綺麗な状態とすることができ、長期にわたって使用することができる。また、新たな装飾模様２０を施す場合も、現在の装飾模様２０の上から新たに描けばよいので、リサイクル性にも優れているということができる。
なお、上記実施形態では全体が８角形のものを例示したが、８角形に限らず種々の形態を採ることができ、本体を合成樹脂で成型する場合は、本体部表面を曲面で構成することもできる。
【図面の簡単な説明】
【０００８】
【図１】実施形態に係る脚を設けた花輪代替装飾物を示す正面図である。
【図２】図１のＡ−Ａ断面図である。
【符号の説明】
【０００９】
Ｘ      花輪代替装飾物
Ｌ      脚
１０    本体
１１    中心板
１２    周辺板
２０    装飾模様
【図１】
0003124160.tif 000003
【図２】
0003124160.tif 000004
(57)【要約】      （修正有）【課題】弾力性物質食品等を包丁で切断又は、スライスすると食品から出る油分や汁等が包丁に密着してしまい、包丁による圧力や揺れ等で変形してしまい等間隔に切断できない不都合や、油分や汁等が流れ出し食品がすべることで添え手押えの指先に危険を感じ尚且、食品に多少の残量がある場合、保存容器への移動の際油分や汁等が垂れ落ち、まな板等を汚す不都合を解決するスライス容器を提供する。【解決手段】弾力性物質食品等を切断又は、スライスの際に、スライド蓋Ｗと固定蓋Ｘ中受けＹに包丁の刃が通る共通の等間隔での隙間Ｖを設け、中味の油分や汁等が流れ落ちても底受けトレイＺで受けることができ尚且、固定蓋Ｘはガタなくガイドさせてスライド蓋Ｗを横へスライドすることにより隙間Ｖが閉じて完全な蓋の状態になり、スライド蓋Ｗと固定蓋Ｘは透明仕様なので保存容器としても使用できることが可能であるスライス容器。【選択図】図１
0003124157.tif 000002
【実用新案登録請求の範囲】
【請求項１】
弾力性物質食品等を切断又は、スライスの際に、スライド蓋Ｗ、固定蓋Ｘ、中受けＹに包丁の刃が通る共通の等間隔で隙間Ｖを設けることを特徴とするスライス容器。
【請求項２】
弾力性物質食品等を切断又は、スライスの際、中味の油分や汁等が、流れ落ちても底受けトレイ２で受け取ることができることを特徴とする請求項１に記載のスライス容器。
【請求項３】
固定蓋Ｘをガタなくガイドして、スライド蓋Ｗを横にスライドすることにより隙間Ｖが閉じることで完全な蓋の状態になり、容器としても使用できることを特徴とする請求項１〜２に記載のスライス容器。
【請求項４】
スライド蓋Ｗと固定蓋Ｘは切断又は、スライスが容易にできるように中身が見える透明仕様蓋で、中受けＹの上にのる弾力性物質食品等を確認でき又、容器としても冷凍室や冷蔵室に保存が可能で、しかも加熱や解凍もできる素材を仕様していることを特徴とする請求項１〜３に記載のスライス容器。
【考案の詳細な説明】
【技術分野】
【０００１】  本考案は、調理に使用するスライス容器に関する。
【背景技術】
【０００２】  従来の調理の際、弾力性物質食品等に直接包丁を入れて切断又は、スライスを行っていた。
【考案の開示】
【考案が解決しようとする課題】
【０００３】  しかし、これでは、弾力性物質食品等を包丁で切断又は、スライスの際に、食品から出る油分や汁等が包丁に密着し切断又は、スライスの際による包丁の圧力や揺れ等で変形してしまい等間隔に切断又は、スライスできない不都合や、油分や汁等が流れだし食品がすべることで添え手押えの指先に危険を感じ尚且、食品に多少の残量がある場合、保存容器への移動の際に油分や汁等が垂れ落ち、まな板等を汚してしまい、調理の際その都度まな板を洗う不都合と、保存容器を専用容器へ移し替えるため不便である。
【課題を解決するための手段】
【０００４】  そこで、弾力性物質食品等を切断又は、スライスの際に、スライド蓋Ｗ固定蓋Ｘ中受けＹに包丁の刃が通る共通の等間隔での隙間Ｖを設け、中味の油分や汁等が流れ落ちても底受けトレイＺで受けることができ尚且、固定蓋Ｘはガタなくガイドさせてスライド蓋Ｗを横へスライドすることにより隙間Ｖが閉じて完全な蓋の状態になり、スライド蓋Ｗと固定蓋Ｘは切断又は、スライスが容易にできるように中身が見える透明仕様蓋で、中受けＹの上にのる弾力性物質食品等を確認しやすい、しかも容器としても冷凍室や冷蔵室に保存が可能であり、さらに加熱や解凍もできる素材を仕様しているため、保存容器としても使用できることが可能であるスライス容器にて、この課題を解決する。
【考案の効果】
【０００５】  よって、本考案のスライス容器により、弾力性物質食品（ポーク缶詰の中身やトマト、その他）等を切断又は、スライスの際に食品から出る油分や汁等が底受けトレイに流れ落ち、添え手押えのすべりがなく指先への危険もないので安心して使用することができ、スライス容器を使用することで形の変形もなく等間隔のスライスが容易にできる。又、スライド蓋Ｗと固定蓋Ｘは中身が見える透明仕様蓋であるために、容易に見ながら弾力性物質食品等を切断又は、スライスすることが可能である。尚且、底受けトレイＺに油分や汁等が垂れ落ちた状態でも、スライド蓋Ｗを横スライドすることにより完全蓋としても使用することが可能で、中身の残量が見えるので容器を取り替えることなく保存容器としても使用することができる。その都度まな板を洗う不都合もなく、さらに冷凍室や冷蔵室に保存が可能で、しかも加熱や解凍もできる素材を仕様している。スライド蓋Ｗ、固定蓋Ｘ、中受けＹ、底受けトレイＺの４点の組み合せからなり洗浄が容易であるため衛生的にも問題ない。
【考案を実施するための最良の形態】
【０００６】  本考案に係るスライス容器は、図１に示すように、スライド蓋Ｗ、固定蓋Ｘ、中受けＹ、底受けトレイＺの４点の組合わせから形成されている。そして、スライド蓋Ｗ、固定蓋Ｘ、中受けＹに包丁の刃が通る共通の等間隔で隙間Ｖを設けることを特徴として、底受けトレイＺに食品から流れ出る中味の油分や汁等を受け取ることができる。さらにスライド蓋Ｗが横スライドすることにより、固定蓋Ｘと横スライドしたスライド蓋Ｗの隙間Ｖが閉ざされ密閉蓋の状態になることを特徴とし、容器を移し替えることもなく使用することができる。スライス容器の大きさは、弾力性物質食品（ポーク缶詰の中身やトマト、その他）等の大きさに応じて決めればよいが、基本寸法は、容積の高さ５０ミリメートル幅７５ミリメートル長さ９５ミリメートルが望ましく又、隙間は２．５ミリメートルで包丁の刃が通ること満たすことが望ましい。素材は、冷凍や冷蔵ができ、しかも解凍や加熱にも対応することができる素材であり、容器の厚みは２ミリメートル位が望ましく、スライド蓋Ｗと固定蓋Ｘは中身が見える透明仕様が適度で望ましい。
【図面の簡単な説明】
【０００７】
【図１】  本考案に係るスライス容器を組合わせた、Ａ−Ａ’の断面図である。
【図２】  本考案に係るスライス容器を組合わせた、平面図である。
【図３】  本考案に係るスライス容器を組合わせた、Ｂ−Ｂ’の断面図である。
【図４】  本考案に係るスライス容器を組合わせた、横スライドした平面図である。
【図５】  本考案に係るスライス容器を組合わせた、側面図である。
【図６】  本考案に係るスライス容器を組合わせた、Ｃ−Ｃ’の断面図である。
【符号の説明】
【０００８】    Ｖ        隙間
Ｗ        スライド蓋
Ｘ        固定蓋
Ｙ        中受け
Ｚ        底受けトレイ
【図１】
0003124157.tif 000003
【図２】
0003124157.tif 000004
【図３】
0003124157.tif 000005
【図４】
0003124157.tif 000006
【図５】
0003124157.tif 000007
【図６】
0003124157.tif 000008
(57)【要約】      （修正有）【課題】映像・音声コードの差し込み抜き取りを容易に出来るようにする。【解決手段】プラスチック製の補助ボックスを使用して、映像・音声コードのコネクターを集約する。ボックスの上下部に差し込む際の滑り止めと後部に抜き取る際の指を掛ける穴を作り、差し込み抜き取りを容易に出来るようにした。【選択図】図１
0003124153.tif 000002
【実用新案登録請求の範囲】
【請求項１】
映像・音声コードのコネクター部分を集約でき、ＡＶ端子の差し込み抜き取りを容易に出来るように差し込む際の滑り止め、抜き取る際の指を掛ける穴の  付いたプラスチック製ボックス。
【考案の詳細な説明】
【技術分野】
【０００１】  本発明は、ＡＶ機器の接続に関する。
【背景技術】
【０００２】  映像・音声コードの接続は、一本ずつ差し込み抜き取っていた。
【考案の開示】
【考案が解決しようとする課題】
【０００３】  テレビゲームなどの接続に映像・音声コードを使用する際に、特に子供は配列を間違えたり、抜き取る際に指の力がなく無理に引き抜こうとすると、コネクターとコードの接続部で接触不良が起きる。
【課題を解決するための手段】
【０００４】  上述の目的を達成する本発明は、抜き取る際に指を掛ける穴の付いたプラスチック製のボックスに、映像・音声コードのコネクター部分を集約させて、差し込み抜き取りの際の補助具として使用する。
【考案の効果】  以上説明したように本発明によれば、補助ボックスの使用により、映像・音声コードの接続際にあらかじめコネクター部分を、ボックスに配列して集約しているので差し込み間違いすることがなく、抜き取る際にも指を掛ける穴を利用して、子供でも容易に抜き取ることが出来る。
［発明を実施する為の最良の形態］【０００５】  以下、本発明の実施の形態を図面に基づき詳細に説明する。【０００６】  図１は本発明の実施の形態に係り、ボックスの開いた時の立体図である。【０００７】  図２の示すように、ボックス中央部には差し込む際の滑り止めが付き、後部には抜き取る際の指の掛ける穴がある。【０００８】  図２の示すように、コネクター部分はボックス内部に集約され、コードは指を掛ける穴の下より外側にだす。【０００９】  図３の示すように、側面には上ふたと下ふたを接続する留めが付いている、後方側面にはコードを外部に出す穴がある。
【図面の簡単な説明】
【００１０】
【図１】プラスチック製ボックスの開いた時の立体図である。
【図２】プラスチック製ボックスにコネクターを集約した時の上部からの図である。
【図３】プラスチック製ボックスの側面と  後側面図である。
【符号の説明】
【００１１】        １  プラスチック製の補助ボックス
２  映像・音声コードのコネクター
３  映像・音声コードのコード
４  抜き取り時に指を掛ける穴
５  コードを外部に出す穴
６  差し込む時の滑り止め
【図１】
0003124153.tif 000003
【図２】
0003124153.tif 000004
【図３】
0003124153.tif 000005
(57)【要約】      （修正有）【課題】普通のズボンの裾を簡単にきちんと束ねることができ、使用中にバンドがずれたり外れたりすることをなくす。【解決方法】ズボンの裾を挟むクリップ１と伸縮性のあるバンド３を組み合わせることで、ズボン前側の折り目をクリップで挟み、クリップに取り付けてある伸縮性のあるバンドの端を足首の外側から回してクリップに引っ掛けて輪を作り、簡単にきちんとズボンの裾を束ねることができる。クリップでズボンを挟んで取り付けているのでハイキングやサイクリングの激しい動きでも伸縮性のあるバンドが裾からずれたり外れたりしない。【選択図】図１
0003124158.tif 000002
【実用新案登録請求の範囲】
【請求項１】
クリップに伸縮性のあるバンドを取り付け、ズボン裾の一端をクリップで挟み、そのバンドの一方を足首の周りに一周させて輪を作るようにしてクリップに引っ掛けズボン裾を束ねる、裾止めバンド。
【考案の詳細な説明】
【技術分野】
【０００１】  本考案は、伸縮性のあるバンドとクリップを組み合わせた、ズボン裾を束ねるための裾止めバンドに関するものである。
【背景技術】
【０００２】    野山をハイキングしたり、スポーツタイプの自転車でサイクリングをしたりする場合、普通のズボンだと裾が枝に引っかかったり自転車のチェンで汚れたりして不快になったり、チェンに絡まったりして危険な事態になる場合がある。それらを防止するためにそれぞれ登山用、サイクリング用の専用のズボンはある。【０００３】    普通のズボンでハイキングやサイクリングをしたりできる様に伸縮性のあるバンドの両端をフック等で止めて輪を作りズボンの裾を束ねるものや、金属やプラスチック等で馬蹄形の輪を作り、そのバネの力でによりズボンの裾を束ねるものなどがある。
【考案の開示】
【考案が解決しようとする課題】
【０００４】    ハイキングやサイクリングを気軽に楽しもうとしたり、スポーツタイプの自転車で通勤や通学をしたりするには専用の登山ズボンやサイクリングズボンを使用するには抵抗感もあるし、不向きである。
また、服装が決められている場合などでは使用できないこともあり不便である。【０００５】    普通のズボンで行うための、伸縮性のあるバンドを輪にしたり金属やプラスチック等で馬蹄形の輪にしたもので裾を束ねるものだと、裾をきちんと束ねられなかったり、使用中にずれたり外れたりしてしまうことが多く不便である。
【課題を解決するための手段】
【０００６】    クリップに伸縮性のあるバンドを取り付けることで、ズボンの裾を束ねるときズボンの前側の折り目をクリップで挟み、バンドを足首周りに一周させてからバンドのもう一方の端をクリップに引っ掛けて輪を作れるので、簡単にきちんと束ねることができ、しかも、クリップでズボンを挟んで取り付けていることで、ハイキングやサイクリングの激しい動きでも伸縮性のあるバンドが裾からずれたり外れたりすることを防止できる。
【考案の効果】
【０００７】  普通のズボンの裾を簡単にきちんと束ねることができて、使用中にバンドがずれたり外れたりすることがなくなるので専用のズボンでなくても気軽にハイキングやサイクリングが楽しめるし、制服や私服によるスポーツタイプの自転車での通勤、通学もできる。また、小さなものなので携帯にも便利である。
【考案を実施するための最良の形態】
【０００８】  添付図面に基づいて説明する。クリップ１は事務用品として一般に使用されている、二枚の平板の中心部の両側を折り曲げて、折り曲げた部分の中心に軸を通して互いに組み合わせた支点を設けて、その軸にスプリング９を取り付けて開閉を自在にして、スプリング９の力で挟む形状のもので、図２で示すように、ズボン裾を挟む部分にはゴム等の滑り止めになる素材６を貼り付け、ズボンからクリップ１を外れにくくします。クリップ１を開くためのアームのズボン側Ａ部７は平面を大きくして端にバンドを通すための穴を空けて、伸縮性のあるバンド３を通して取り付ける。アームの他方Ｂ部８は細長い平面にしてフック２を引っ掛けられるようにする。図３に示すようにフック２にはクリップ１のアーム部Ｂ８に引っ掛けるための縦長の穴を空けると共にバンドを通すための穴を２つ並行に空けて、バンドの長さを調整できる様にして伸縮性のあるバンドを取り付けられるようにする。【０００９】  この様に伸縮性のあるバンド３の一方をクリップ１の穴に通して外れないように縫い合わせ、他方をフック２の平行な二つの穴に図３に示すように通して長さが調節できるように取り付けて、ズボン裾の前側の折り目をクリップ１で挟み、フック２を外側に引いて足首を一周させクリップ１のアーム部Ｂ８にフック２を引っ掛け図１に示すようにズボン裾を束ねる。この様にすることでズボン裾を簡単にきれいに束ねられる。しかも、クリップでズボンを挟んでいるのでバンド３が使用中にずれたり外れたりしない。
【図面の簡単な説明】
【００１０】
【図１】本考案のクリップ付き裾止めバンドの使用例を示す図。但し、ズボンと靴は全体をわかりやすくするために補助的に書いたもの。
【図２】クリップ１を示した図。
【図３】フック２を示した図。
【符号の説明】
【００１１】  １  クリップ
２  フック
３  伸縮性のあるバンド
４  ズボン
５  靴
６  ゴム等の滑り止めになる素材
７  クリップアームのズボン側Ａ部
８  クリップアームのＢ部
９  スプリング
【図１】
0003124158.tif 000003
【図２】
0003124158.tif 000004
【図３】
0003124158.tif 000005
(57)【要約】【課題】  本考案は、携帯情報端末のタッチパネルへの入力操作及びキーボードのキー入力による操作を容易に入力操作できる指キャップ型入力ペンを提供する。【解決手段】  本考案の指キャップ型入力ペン（１）は、キャップ部（２）と、ペン先部（３）で形成し、キャップ部（２）を利き手の１本の指へ装着する事により、入力ペンを持たずに保持でき、ペン先部（３）によってタッチパネルでの入力とキーボードのキー入力操作が、指キャップ型入力ペンを装着したまま、持ち替えたりする煩わしさから開放され、自由に作業の移行が出来るようにした。【選択図】図１
0003124154.tif 000002
【実用新案登録請求の範囲】
【請求項１】
指先に装着するキャップの先端部分に、入力用ペン先部を形成した、携帯情報端末のタッチパネル操作とキーボードのキー入力を円滑に行えることができることを特徴とする、指キャップ型入力ペンである。
【考案の詳細な説明】
【技術分野】
【０００１】本考案は、携帯情報端末のタッチパネル入力操作及びキーボード入力操作を容易に出来るようにした、指キャップ型入力ペンに関する物である。
【背景技術】
【０００２】従来の入力ペンは、紛失防止のため携帯情報端末本体に収納できる入力ペンが主流ですが、端末本体の携帯性による小型化への追求のため入力ペンは細くて短く使い難い煩わしさや、キーボード操作等の作業を移行する際、入力ペンを持ち直さなければならなく作業能率が悪い。
【考案が解決しようとする課題】
【０００３】本考案は、上記で述べた入力ペンの使い難い煩わしさや、入力ペンを持ち直さなければならない作業能率の問題を解決することを目的とする。
【本考案を解決するための手段】
【０００４】本考案の指キャップ型入力ペンは指の先端部に被せられるキャップ部と、このキャップ部の先端にキーボードのキー及びタッチパネルを押圧しコンピュータに入力するためのペン先部から成り、タッチパネルを傷つけないよう軟質素材等、適宜素材で形成する。
【作用】
【０００５】本考案の指キャップ型入力ペンを指に装着することにより、携帯情報端末のタッチパネルでの入力操作とキーボードのキー入力操作が、装着したままで操作が可能となり、全ての指の自由が利く為、指キャップ型入力ペンを装着したまま他の作業も可能となる。
【実施例】
【０００６】図１は、本考案の実施例を示したもので、指キャップ型入力ペン（１）は、キャップ部（２）及びペン先部（３）から成り、キャップ部（２）に利き手の人差し指を装着し、ペン先部（３）によりキーボードのキー及びタッチパネルを押圧しコンピュータに入力する。
【本考案の効果】
【０００７】通常、入力ペンは利き手の３本の指で掴んで使用する為、タッチパネルでのペン入力操作以外の作業に移行する場合、入力ペンを手放すか持ち直す必要があるが、本考案においては持たずに１本の指に装着し保持できる為、手指が自由になるので他の作業性も広がる。
【図面の簡単な説明】
【０００８】
【図１】指キャップ型入力ペンの全体斜視図である。
【図２】指キャップ型入力ペンの断面図である。
【符号の説明】
【０００９】（１）指キャップ型入力ペン
（２）キャップ部
（３）ペン先部
【図１】
0003124154.tif 000003
【図２】
0003124154.tif 000004
(57)【要約】【課題】  動き回る犬に簡単に着せることができる。  犬のシャンプーの後の乾燥が早くできる。  犬を撫でてマッサージしながらドライできる。【解決手段】  犬用バスローブの背中部分に開口部を設け、背中部分にドライヤーの先をいれ、ドライヤーを振りながら背中の毛を乾かすことが出来るようにした。【選択図】図２
0003124155.tif 000002
【実用新案登録請求の範囲】
【請求項１】
背中部分に開口部を設けた犬用バスローブ。
【考案の詳細な説明】
【技術分野】
【０００１】背中部分に開口部を設けた犬用バスローブ。
【背景技術】
【０００２】従来の犬用バスローブは、犬が体をふるった時、しずくが飛び散らないためのものである。ドライのときドライヤーの温かい空気を犬の背中の周りに保てず温かい空気を有効に利用できなかった。
【考案の開示】
【考案が解決しようとする課題】
【０００３】  犬にバスローブをかけた状態で、ドライヤーを使うことができ、ドライヤーの温かい空気を効率よく利用して、犬の毛を乾かすことが出来ること。
【考案が解決するための手段】
【０００４】上記目的を達成するために，犬用バスローブの背中部分に開口部を設けた。
【考案の効果】
【０００５】本考案の背中部分に開口部を設けた犬用バスローブは背中部分を簡単に乾燥することが出来るため、短時間で犬のドライが出来る。
【考案を実施するための最良の形態】
【０００６】犬用バスローブの背中部分に１〜２個開口部を設け、ドライヤーの先が入るようにする。前と下に紐をつけ結び、犬の体に密着しないように着せる。前はスナップで止めでもよい。
【実施例】
【０００７】犬用バスローブの背中部分の開口部から、ドライヤーの先をいれバスローブを持ち上げ、振りながら背中の毛を乾かすと温かい空気がペットの体のまわりにしばらく溜まるため、短時間で背中の毛が乾く。下からドライヤーで乾かすとおなか部分の毛も短時間で乾く。犬用バスローブを犬の体に密着しないように着せるため、犬が熱がらない。
【産業上の利用の可能性】
【０００８】犬用バスローブの背中部分の開口部から、ドライヤーの先をいれ振りながら背中の毛を乾かすと温かい空気がペットの体のまわりにしばらく溜まるため、短時間で背中の毛が乾く。下からもドライヤーで乾かすとおなか部分の毛も短時間で乾く。犬用バスローブを犬の体に密着しないように着せるため、犬があつがらない。短時間で効率よく乾燥する。犬等バスローブの上から撫でてやるとマッサージ効果もあり、気持ちよさそうにする。ドライが終わった後は紐を犬の体にくくり従来のバスローブとして使える。
【図面の簡単な説明】
【図１】本考案の平面図
【図２】本考案のドライヤーを使った状態の斜視図
【図３】本考案の従来のバスローブとしての状態の斜視図
【符号の説明】
１  バスローブ
２  ひも
３  開口部
４  ドライヤー
５  犬
【図１】
0003124155.tif 000003
【図２】
0003124155.tif 000004
【図３】
0003124155.tif 000005
(57)【要約】      （修正有）【課題】健康用品としての目的を果たしながら、装飾品としての役割も兼ね備える鉱石付き貼る装飾品の提供。【解決手段】裏面が接着できるようにした平面上に、ガラスや石やアクリルなどの原料で作られたビーズを美しく並べ、その一部に鉱石を組み合わせ、貼る装飾品の一部に健康用品として用いられる鉱石を取り入れたことを特徴とする。【選択図】図２
0003124156.tif 000002
【実用新案登録請求の範囲】
【請求項１】
ビーズなどで作った、体に貼る装飾品の一部に、健康用品として用いられる鉱石を組み合わせたもの。
【考案の詳細な説明】
【技術の分野】
【００１】  本考案は、体に貼る装飾品の一部に、鉱石を取り入れたものである。
【背景技術】
【００２】  従来、鉱石を使った健康用品はあったが、貼って使用するものは、装飾品にはなり得なかった。又、体に貼る装飾品はあったが、装飾の目的のみであった。
【考案の解決しようとする課題】
【００３】  従来のものは、装飾品としての目的をもたない健康用品と、健康増進の目的を持たない、貼る装飾品であり、２つの目的を同時に果たすものはなかった。
【課題を解決するための手段】
【００４】  そこで、貼る装飾品の一部に健康用品として用いられる鉱石を取り入れた。
【考案の効果】
【００５】  本考案は、健康用品としての目的を果たしながら、装飾品としての役割も兼ね備えたものである。
【考案を実施するための最良の形態】
【００６】  本考案は、図１に示すように、裏面が接着できるようにした平面上に、ガラスや石やアクリルなどの原料で作られたビーズを美しく並べ、その一部に鉱石を組み合わせる。【００７】  本考案は、水に濡らしても剥がれにくく、又、入浴など長時間水中につけることによって剥がれることがあっても、水分を取り除く事で、再び接着が可能である。
【図面の簡単な説明】
【００８】
【図１】  本考案の断面図である。
【図２】  本考案の平面図であり、並べ方の一例である。
【符号の説明】
【００９】１      鉱石
２      ビーズ類
３      粘着テープ
【図１】
0003124156.tif 000003
【図２】
0003124156.tif 000004
(57)【要約】【課題】  本考案は、自然の光を取り入れる為、いかにそのまま光を、屋内に引き入れることができるか、場所を選ばずどんな所にも取り付けられるかである。【解決手段】  集光ドームにより集めた光は光導筒で引き込み光曲体レンズを使い光の向きを変えながらジョイントする、光導筒、光曲体レンズ、など光の通る内側は全て鏡面とし光を逃がさない構造にする。集光ドーム、光導筒、光曲体レンズ、この単体は、光の通り道に埃、又は環境の変化で機能が変わらない様、中を真空にする事で解決するものである、本考案はこの単体のジョイントにより長さ、取り付け場所の変化に対応し、どんな所にも取り付けることができるようになった。【選択図】    図２
0003124819.tif 000002
【実用新案登録請求の範囲】
【請求項１】
パラボラ型反射板と集光体を取り付けた集光体ドームにより光を集め、単体の光導筒をジョイントし光曲体レンズで光の向きを変え光を導入、集光ドーム、光導筒、光曲体レンズ、全て内側は、真空、鏡面とし屋内に光を照明器にて照明する光導装置。
【請求項２】
導入した直進の光を光曲体レンズにより曲げる請求項１記載の光導装置。
【考案の詳細な説明】
【技術分野】
【０００１】
本考案は採光転送装置に関する。
【背景技術】
【０００２】
採光転送は光の入角度により一日中の安定した光量を得ることが難しかった。
【特許文献１】特開平０５−６０９６４（採光システム）
【特許文献２】特開平０５−７１８１１（太陽光集光伝送装置）
【考案の開示】
【考案が解決しようとする課題】
【０００３】
今までの、類似の考案では光の角度により外の最大限の光を一日中得ることは難しく又光を運ぶ器機も反射式では少しの振動、ずれでも調整が変わってしまう難点があり何処へでも取り付けることも難しかった。
【課題を解決するための手段】
【０００４】
本考案は、パラボラ形反射板と集光体を取り付けた集光ドームにより一日中光を集めることが出来、光導筒、光曲体レンズを使い常に光が何処へでも届く様にした。これにより上記課題を解決するものである。
【考案の効果】
【０００５】
本考案で暗かったどんな所にも光を取り入れる事が出来るようになった自然利用の装置なので、稼動エネルギーを必要としない事と、光導装置は単体に分けジョイントする物で旧住宅などどんな所にでも取り付けられ、光調整装置により光の調整が出来、便利になっている。
【考案を実施するための最良の形態】
【０００６】
本考案の機能を最大限に生かす為集光ドームは南向きに取り付ける、集光ドーム、光導筒、光調整装置、などは全天候に対応する為全て真空にする、これにより埃による障害もない。
【０００７】
図1、３、の集光ドームのパラボラ形反射板は、熱の集中が危険である為明るい白色とする。
【０００８】
図1、２、3、の光導装置内側は光を逃がさない様全て鏡面とする。
【産業上の利用可能性】
【０００９】
本考案の光導装置は単体に分けジョイントする構造で旧、新住宅、ビル、などどんな所にも取り付けられる自然利用の簡単構造である。
【図面の簡単な説明】
【００１０】
【図１】本考案に係る集光ドーム左は正面南向きの図と右は西側から見た図、下は取り付け後の全体図である。
【図２】本考案に係る光導筒の、上は側面図、下は光曲体レンズの側面図である。
【図３】本考案に係る光導装置の一部、光を屋内に照明する照明器、上は下から見た図であり、下は側面図である。
【図４】本考案に係る光導装置の一部を構成する光調整装置で２種のシャッターを持つ、上は正面図、下は取り付け、側面から見た図である。
【符号の説明】
【００１１】
１  集光ドーム
２  集光体
３  パラボラ形反射板
４  内側鏡面
５  光直進用レンズ
６  光曲体レンズ
７  光導筒
８  ジョイント
９  光調整装置
１０  光量シャッター
１１  Ｕ、Ｖカット透過シャッター
１２  照明器
【図１】
0003124819.tif 000003
【図２】
0003124819.tif 000004
【図３】
0003124819.tif 000005
【図４】
0003124819.tif 000006